【手続補正書】
【提出日】平成16年12月6日(2004.12.6)
【手続補正１】
【補正対象書類名】明細書
【補正対象項目名】発明の名称
【補正方法】変更
【補正の内容】
【発明の名称】印刷装置
【手続補正２】
【補正対象書類名】明細書
【補正対象項目名】特許請求の範囲
【補正方法】変更
【補正の内容】
【特許請求の範囲】
【請求項１】
外部から入力された印刷データを含む印刷ジョブに一意に割り当てられた印刷ジョブ識別情報を管理する管理手段と、指定された前記印刷ジョブ識別情報に対応する前記印刷ジョブの前記印刷データのうち、未だ解析されていない前記印刷データを無効にする印刷データ無効手段とを有することを特徴とする印刷装置。
【請求項２】
前記印刷データ無効手段は、指定された前記印刷ジョブ識別情報に対応する前記印刷ジョブの、複数の個所にある前記印刷データを前記印刷装置の入力段に近い方から無効にしていくことを特徴とする請求項１記載の印刷装置。
【請求項３】
前記印刷データが解析される前に格納される受信バッファを有することと、前記印刷データ無効手段は、指定された前記印刷ジョブ識別情報に対応する前記印刷ジョブの、前記受信バッファに格納された前記印刷データを無効にすることを特徴とする請求項１記載の印刷装置。
【請求項４】
前記受信バッファは、前記印刷ジョブ識別情報と前記印刷データとを共に格納するバッファブロックから構成されていることを特徴とする請求項３記載の印刷装置。
【請求項５】
前記受信バッファは、前記印刷ジョブ識別情報と前記印刷データとが格納されているバッファブロックがつながっている使用済みバッファブロックキューと、空のバッファブロックがつながっている空バッファブロックキューとから構成されていることと、前記印刷データ無効手段は、指定された前記印刷ジョブ識別情報と一致する前記印刷ジョブ識別情報が格納されている前記バッファブロックを前記使用済みバッファブロックキューから取り出し、取り出した当該バッファブロックを前記空バッファブロックキューにつなげることを特徴とする請求項４記載の印刷装置。
【請求項６】
前記印刷データを解析する印刷データ解析手段を有することと、前記印刷データ無効手段は、指定された前記印刷ジョブ識別情報に対応する前記印刷ジョブの前記印刷データを前記印刷データ解析手段が解析中のときは、当該解析を中断させることを特徴とする請求項１記載の印刷装置。
【請求項７】
入力された前記印刷ジョブの前記印刷データを解析することなく、当該印刷ジョブに前記印刷ジョブ識別情報を割り当てる印刷ジョブ検知手段を有することを特徴とする請求項１乃至６いずれか記載の印刷装置。
【請求項８】
前記印刷ジョブ検知手段は、印刷管理データを含む前記印刷ジョブごとに前記印刷データ或いは前記印刷管理データに制御情報を付加して生成されたジョブパケットを、当該制御情報に基づいて解析し、当該印刷ジョブの当該印刷データ或いは当該印刷管理データを検知することを特徴とする請求項７記載の印刷装置。
【請求項９】
前記ジョブパケットは、前記印刷管理データを識別するための識別情報と前記印刷管理データとから、或いは、前記印刷データを識別するための識別情報と前記印刷データとから構成されていることを特徴とする請求項８記載の印刷装置。
【請求項１０】
印刷管理要求が入力された場合に、当該印刷管理要求により指定される前記印刷ジョブ識別情報と印刷管理命令に応じて、当該印刷ジョブ識別情報により特定される前記印刷ジョブに、当該印刷管理命令に応じた制御を行う印刷ジョブ管理手段を有することを特徴とする請求項１乃至９いずれか記載の印刷装置。
【請求項１１】
前記印刷管理命令は、前記管理手段で管理されている前記印刷管理データの獲得或いは設定、前記印刷ジョブの取消であることを特徴とする請求項１０記載の印刷装置。
【請求項１２】
前記印刷ジョブ管理手段は、前記印刷管理命令が前記印刷管理データの獲得である場合に、当該印刷管理データを含む印刷管理返答を外部に出力することを特徴とする請求項１１記載の印刷装置。
【請求項１３】
前記ジョブパケットの入出力用のジョブチャネルと、前記印刷管理要求或いは前記印刷管理返答の入出力用の管理チャネルとを有することを特徴とする請求項１０乃至１２いずれか記載の印刷装置。
【請求項１４】
前記ジョブパケットの入出力用のジョブチャネルと、前記印刷管理要求或いは前記印刷管理返答の入出力用の管理チャネルとを、パケット化により単一の通信媒体に対して多重化を行う論理チャネル制御手段を有することを特徴とする請求項１０乃至１２いずれか記載の印刷装置。
【請求項１５】
取消をする前記印刷ジョブを決定する取消印刷ジョブ決定手段を有することを特徴とする請求項１乃至１４いずれか記載の印刷装置。
【請求項１６】
前記取消印刷ジョブ決定手段は、前記印刷装置内にある前記印刷ジョブのうち、前記印刷データが出力段により近いところにある前記印刷ジョブの取消を決定することを特徴とする請求項１５記載の印刷装置。
【請求項１７】
外部からの前記印刷ジョブの取消指示を検知する取消指示検知手段を有することを特徴とする請求項１乃至１６いずれか記載の印刷装置。
【請求項１８】
前記印刷装置内にある全ての前記印刷ジョブを表示する印刷ジョブ表示手段と、前記印刷ジョブ表示手段に表示された前記印刷ジョブのうち、取消指定をする前記印刷ジョブを選択するための印刷ジョブ選択手段とを有することを特徴とする請求項１乃至１７いずれか記載の印刷装置。
【請求項１９】
レーザビームプリンタであることを特徴とする請求項１乃至１８いずれか記載の印刷装置。
【請求項２０】
インクジェットプリンタであることを特徴とする請求項１乃至１８いずれか記載の印刷装置。
【手続補正３】
【補正対象書類名】明細書
【補正対象項目名】０００１
【補正方法】変更
【補正の内容】
【０００１】
【発明の属する技術分野】
本発明は、印刷装置に関する。
【手続補正４】
【補正対象書類名】明細書
【補正対象項目名】００３９
【補正方法】削除
【補正の内容】
【手続補正５】
【補正対象書類名】明細書
【補正対象項目名】００４０
【補正方法】削除
【補正の内容】
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】削除
【補正の内容】
【手続補正８】
【補正対象書類名】明細書
【補正対象項目名】００４３
【補正方法】削除
【補正の内容】
【手続補正９】
【補正対象書類名】明細書
【補正対象項目名】００４４
【補正方法】削除
【補正の内容】
【手続補正１０】
【補正対象書類名】明細書
【補正対象項目名】００４５
【補正方法】削除
【補正の内容】
【手続補正１１】
【補正対象書類名】明細書
【補正対象項目名】００４６
【補正方法】削除
【補正の内容】
【手続補正１２】
【補正対象書類名】明細書
【補正対象項目名】００４７
【補正方法】削除
【補正の内容】
【手続補正１３】
【補正対象書類名】明細書
【補正対象項目名】００４８
【補正方法】削除
【補正の内容】
【手続補正１４】
【補正対象書類名】明細書
【補正対象項目名】００４９
【補正方法】削除
【補正の内容】
【手続補正１５】
【補正対象書類名】明細書
【補正対象項目名】００５０
【補正方法】削除
【補正の内容】
【手続補正１６】
【補正対象書類名】明細書
【補正対象項目名】００５１
【補正方法】削除
【補正の内容】
【手続補正１７】
【補正対象書類名】明細書
【補正対象項目名】００５２
【補正方法】削除
【補正の内容】
【手続補正１８】
【補正対象書類名】明細書
【補正対象項目名】００５３
【補正方法】削除
【補正の内容】
【手続補正１９】
【補正対象書類名】明細書
【補正対象項目名】００５４
【補正方法】削除
【補正の内容】
【手続補正２０】
【補正対象書類名】明細書
【補正対象項目名】００５５
【補正方法】削除
【補正の内容】
【手続補正２１】
【補正対象書類名】明細書
【補正対象項目名】００５６
【補正方法】削除
【補正の内容】
【手続補正２２】
【補正対象書類名】明細書
【補正対象項目名】００５７
【補正方法】削除
【補正の内容】
【手続補正２３】
【補正対象書類名】明細書
【補正対象項目名】００５８
【補正方法】削除
【補正の内容】
【手続補正２４】
【補正対象書類名】明細書
【補正対象項目名】００５９
【補正方法】削除
【補正の内容】
【手続補正２５】
【補正対象書類名】明細書
【補正対象項目名】００６０
【補正方法】削除
【補正の内容】
【手続補正２６】
【補正対象書類名】明細書
【補正対象項目名】００６１
【補正方法】削除
【補正の内容】
【手続補正２７】
【補正対象書類名】明細書
【補正対象項目名】００６２
【補正方法】削除
【補正の内容】
【手続補正２８】
【補正対象書類名】明細書
【補正対象項目名】００６３
【補正方法】削除
【補正の内容】
【手続補正２９】
【補正対象書類名】明細書
【補正対象項目名】００６４
【補正方法】削除
【補正の内容】
【手続補正３０】
【補正対象書類名】明細書
【補正対象項目名】００６５
【補正方法】削除
【補正の内容】
【手続補正３１】
【補正対象書類名】明細書
【補正対象項目名】００６６
【補正方法】削除
【補正の内容】
【手続補正３２】
【補正対象書類名】明細書
【補正対象項目名】００６７
【補正方法】削除
【補正の内容】
【手続補正３３】
【補正対象書類名】明細書
【補正対象項目名】００６８
【補正方法】削除
【補正の内容】
【手続補正３４】
【補正対象書類名】明細書
【補正対象項目名】００６９
【補正方法】削除
【補正の内容】
【手続補正３５】
【補正対象書類名】明細書
【補正対象項目名】００７０
【補正方法】削除
【補正の内容】
【手続補正３６】
【補正対象書類名】明細書
【補正対象項目名】００７１
【補正方法】削除
【補正の内容】
【手続補正３７】
【補正対象書類名】明細書
【補正対象項目名】００７２
【補正方法】削除
【補正の内容】
【手続補正３８】
【補正対象書類名】明細書
【補正対象項目名】００７３
【補正方法】削除
【補正の内容】
【手続補正３９】
【補正対象書類名】明細書
【補正対象項目名】００７４
【補正方法】削除
【補正の内容】
【手続補正４０】
【補正対象書類名】明細書
【補正対象項目名】００７５
【補正方法】削除
【補正の内容】
【手続補正４１】
【補正対象書類名】明細書
【補正対象項目名】００７６
【補正方法】削除
【補正の内容】
【手続補正４２】
【補正対象書類名】明細書
【補正対象項目名】００７７
【補正方法】削除
【補正の内容】
【手続補正４３】
【補正対象書類名】明細書
【補正対象項目名】００７８
【補正方法】削除
【補正の内容】
【手続補正４４】
【補正対象書類名】明細書
【補正対象項目名】００７９
【補正方法】削除
【補正の内容】
【手続補正４５】
【補正対象書類名】明細書
【補正対象項目名】００８０
【補正方法】削除
【補正の内容】
【手続補正４６】
【補正対象書類名】明細書
【補正対象項目名】００８１
【補正方法】削除
【補正の内容】
【手続補正４７】
【補正対象書類名】明細書
【補正対象項目名】００８２
【補正方法】削除
【補正の内容】
【手続補正４８】
【補正対象書類名】明細書
【補正対象項目名】００８３
【補正方法】削除
【補正の内容】
【手続補正４９】
【補正対象書類名】明細書
【補正対象項目名】００８４
【補正方法】削除
【補正の内容】
【手続補正５０】
【補正対象書類名】明細書
【補正対象項目名】００８５
【補正方法】削除
【補正の内容】
【手続補正５１】
【補正対象書類名】明細書
【補正対象項目名】００８６
【補正方法】削除
【補正の内容】
【手続補正５２】
【補正対象書類名】明細書
【補正対象項目名】００８７
【補正方法】削除
【補正の内容】
【手続補正５３】
【補正対象書類名】明細書
【補正対象項目名】００８８
【補正方法】削除
【補正の内容】
【手続補正５４】
【補正対象書類名】明細書
【補正対象項目名】００８９
【補正方法】削除
【補正の内容】
【手続補正５５】
【補正対象書類名】明細書
【補正対象項目名】００９０
【補正方法】削除
【補正の内容】
【手続補正５６】
【補正対象書類名】明細書
【補正対象項目名】００９１
【補正方法】削除
【補正の内容】
【手続補正５７】
【補正対象書類名】明細書
【補正対象項目名】００９２
【補正方法】削除
【補正の内容】
【手続補正５８】
【補正対象書類名】明細書
【補正対象項目名】００９３
【補正方法】削除
【補正の内容】
【手続補正５９】
【補正対象書類名】明細書
【補正対象項目名】００９４
【補正方法】削除
【補正の内容】
【手続補正６０】
【補正対象書類名】明細書
【補正対象項目名】００９５
【補正方法】削除
【補正の内容】
【手続補正６１】
【補正対象書類名】明細書
【補正対象項目名】００９６
【補正方法】削除
【補正の内容】
【手続補正６２】
【補正対象書類名】明細書
【補正対象項目名】００９７
【補正方法】削除
【補正の内容】
【手続補正６３】
【補正対象書類名】明細書
【補正対象項目名】００９８
【補正方法】削除
【補正の内容】
【手続補正６４】
【補正対象書類名】明細書
【補正対象項目名】００９９
【補正方法】削除
【補正の内容】
【手続補正６５】
【補正対象書類名】明細書
【補正対象項目名】０１００
【補正方法】削除
【補正の内容】
【手続補正６６】
【補正対象書類名】明細書
【補正対象項目名】０１０１
【補正方法】削除
【補正の内容】
【手続補正６７】
【補正対象書類名】明細書
【補正対象項目名】０１０２
【補正方法】削除
【補正の内容】
【手続補正６８】
【補正対象書類名】明細書
【補正対象項目名】０１０３
【補正方法】削除
【補正の内容】
【手続補正６９】
【補正対象書類名】明細書
【補正対象項目名】０１０４
【補正方法】削除
【補正の内容】
【手続補正７０】
【補正対象書類名】明細書
【補正対象項目名】０１０５
【補正方法】削除
【補正の内容】
【手続補正７１】
【補正対象書類名】明細書
【補正対象項目名】０１０６
【補正方法】削除
【補正の内容】
【手続補正７２】
【補正対象書類名】明細書
【補正対象項目名】０１０７
【補正方法】削除
【補正の内容】
【手続補正７３】
【補正対象書類名】明細書
【補正対象項目名】０１０８
【補正方法】削除
【補正の内容】
【手続補正７４】
【補正対象書類名】明細書
【補正対象項目名】０１０９
【補正方法】削除
【補正の内容】
【手続補正７５】
【補正対象書類名】明細書
【補正対象項目名】０１１０
【補正方法】削除
【補正の内容】
【手続補正７６】
【補正対象書類名】明細書
【補正対象項目名】０１１１
【補正方法】削除
【補正の内容】
【手続補正７７】
【補正対象書類名】明細書
【補正対象項目名】０１１２
【補正方法】削除
【補正の内容】
【手続補正７８】
【補正対象書類名】明細書
【補正対象項目名】０１１３
【補正方法】削除
【補正の内容】
【手続補正７９】
【補正対象書類名】明細書
【補正対象項目名】０１１４
【補正方法】削除
【補正の内容】
【手続補正８０】
【補正対象書類名】明細書
【補正対象項目名】０１１５
【補正方法】削除
【補正の内容】
【手続補正８１】
【補正対象書類名】明細書
【補正対象項目名】０１１６
【補正方法】削除
【補正の内容】
【手続補正８２】
【補正対象書類名】明細書
【補正対象項目名】０１１７
【補正方法】削除
【補正の内容】
【手続補正８３】
【補正対象書類名】明細書
【補正対象項目名】０１１８
【補正方法】削除
【補正の内容】